(57)【要約】【課題】台座となる固定板と回転ローラーの間にチューブ容器を挟み固定し、クッション性を良くし、バネの力によりスムーズにチューブ容器内の内容物を出口に最後まで簡単に綺麗にしぼり押し出す用具を提供する。【解決手段】チューブ容器内の残内容物を押し出すのに効果がある先端突起を設けた固定板と回転ローラーの間にチューブ容器を通過させる隙間を設け、回転ローラー内に円形パイプを挿入し緩衝帯を設けることにより上下前後の微妙の動きを捕らえ、かつ、針金製の軸芯の動きによりクッションの働きとバネの力による制御をおこない使用しやすくした、利点の多いきわめて簡単で便利な特徴を持つ器具である。【選択図】図１
2010126162.tif 000002
【特許請求の範囲】
【請求項１】
台座となる固定板と回転ローラーの間に隙間を設け軸芯により固定板の両端に固定し、回転ローラー内に円形パイプを挿入し緩衝帯の働きをさせ、なおかつ軸芯を通しバネの力でチューブ容器を締め付けることによりチューブ容器内の内容物をしぼり押し出すことを特徴とするチュ−ブ押し出し用具。
【請求項２】
請求項１の固定板は中央に先端突起を設け、軸芯により回転ローラーは固定板の両端に固定することを特徴とするチュ−ブ押し出し用具。
【請求項３】
請求項１の回転ローラーは断面形状が正多角形管の形状を特徴とするチュ−ブ押し出し用具。
【発明の詳細な説明】
【技術分野】
【０００１】
本発明は、台座となる固定板と回転ローラーの間にチューブ容器を挟み、回転ローラーに円形パイプと針金製の軸芯を通すことにより緩衝帯を作りクッションの働きとバネの力による制御と締め付けによりチューブ容器内の内容物をしぼり押し出し、固定板の先端突起部分により内容物が残り少なった場合に最後まで効率良く綺麗に出口に押し出すことが出来る用具に関するものである。
【背景技術】
【０００２】
従来、複雑な機械式歯磨きチューブの押し出し器やアルミ等の金属チューブ容器に有効なネジ巻き式、二つの円筒やドラムをはさんだチューブ押し出し器、丸パイプを利用して切り込みを設けた押し出し器はあった。
【０００３】
【特許文献１】特許公開平１０−２６２８５４
【特許文献２】登録実用新案第３０７５５３６号
【特許文献３】実用新案公開平８−９１３
【特許文献４】実用新案公開平７−４４０１８
【特許文献５】登録実用新案第３１０６３３４号
【発明の開示】
【発明が解決しようとする課題】
【０００４】
そのために、次のような欠点があった。
（イ）機械式は大型で複雑な仕組みであるためトラブルもあり操作が難しく、一般的に使用されていない。
（ロ）金属加工のチューブ容器に使用するネジ巻き式は近年は樹脂製加工のチューブ容器が主流になっているために使用は不適当である。
（ハ）円筒、ドラム、丸パイプのチューブ押し出し器は挟むことによって使用することは同じであるがチューブ容器を挟んだ時のクッション性がなく、チューブ容器の表面での押し出しについては回転ローラーのようなスムーズさがなく、使用時の指押さえの反応に対してストッパーの働きが簡単にできる構造ではない。
（ニ）内容物が残り少なった場合にチューブ容器の内容物を最後まで効率良く綺麗に出口に押し出すことが難しい。
本発明は、これらの問題点を解決するためになされたものである。
【課題を解決するための手段】
【０００５】
台座となる固定板と回転ローラーの間に隙間を設け軸芯により固定板の両端に固定し、回転ローラー内に円形パイプを挿入し緩衝帯の働きをさせ、なおかつ軸芯を通しバネの力でチューブ容器を締め付けることによりチューブ容器内の内容物をしぼり押し出すことを特徴とするチュ−ブ押し出し用具。
【０００６】
固定板は中央に先端突起を設け、軸芯により回転ローラーは固定板の両端に固定することを特徴とするチュ−ブ押し出し用具。
【０００７】
回転ローラーは断面形状が正多角形管の形状を特徴とするチュ−ブ押し出し用具。
【発明の効果】
【０００８】
発明は以上のような構造で、これを使用するときは、回転ローラー内に円形パイプを挿入し緩衝帯を設けることにより上下前後の微妙の動きを捕らえ、かつ、針金製の軸芯の動きによりクッションの働きとバネの力による制御をおこない、チューブ容器の厚みの変化に対応し、チューブ容器の種類を選ぶことなく簡単に取り付け、単純に引っ張るだけの操作でチューブ容器内の内容物をスムーズに出口にしぼり押し出すことができる。
【０００９】
回転ローラーは多角形断面形状の角面により押し出し時はチューブ容器の滑り止め、チューブ使用時の指押さえの反応に対しては内容物が出口と反対方向に逆流しないようにストッパーの働きをする。
【００１０】
固定板はチューブ容器の一番重要な狭小部を作りだし前方方向へ押し出す働きの手助けをする台座となる。
【００１１】
先端部分に突起を付けることにより内容物が残り少なくなった場合に効果は最大に発揮しチューブ容器の内容物を最後まで効率良く綺麗に出口に押し出すことができる。
【００１２】
チューブ容器の出口頭部側を引っ張り取り外すことにより再利用もできる。
以上のように利点が多いきわめて簡単で便利な用具である。
【発明を実施するための最良の形態】
【００１３】
以下、発明の実施の形態について説明する。
（イ）樹脂や金属・陶器・木製の回転ローラー(1)内に樹脂製の円形パイプ(2)と針金製の軸芯(3)を通し、樹脂や金属製のローラー押さえワッシャー(4)にて押さえて樹脂や金属・陶器・木製の固定板(5)に軸芯受け孔(7)を設け軸芯(3)に取り付ける。
（ロ）回転ローラー(1)と固定板(5)の間にチューブ容器(9)を通過させる隙間を設け、軸芯(3)はクッションの働きとバネの力による制御をおこなうよう回転ローラー(1)と固定板(5)の間は弓形状の円曲に折りまげ、固定板(5)に取り付ける。
（ハ）回転ローラー(1)が取り外し出来るように軸芯スライド溝(8)を設け、軸芯(3)の端の曲がりは長めに固定板(5)に差し込み固定し、回転ローラー(1)は軸芯(3)と共にスライドさせ取り外す事が出来るようにし、もう片方の軸芯(3)の端の曲がりは短く固定板(5)の軸芯受け孔(7)に差し込み固定する。
（ニ）固定板(5)の先端部分はチューブ容器(9)の大中小サイズに合わせ両側又は図１１に示すように片側に先端突起(6)を設ける。
（ホ）回転ローラー(1)の断面形状は正五角形以上の形状にする。
（へ）本発明は図１２に示すように、固定板(5)の両端を折り曲げ位置に軸芯(3)を取り付け回転ローラー(1)をガードし、チューブ容器(9)を前方出口方向に押し出すことができる。
（ト）本発明は図１３に示すように、固定板(5)の上部側より軸芯(3)を取り付け、チューブ容器(9)を前方出口方向に押し出すことができる。
（チ）本発明は図１４に示すように、固定板(5)の下部側より軸芯(3)を取り付け、チューブ容器(9)を前方出口方向に押し出すことができる。
（リ）本発明は図１５に示すように、固定板(5)の側面より軸芯(3)を取り付け、チューブ容器(9)を前方出口方向に押し出すことができる。
（ヌ）本発明は図１６に示すように、回転ローラー(1)が自由に開閉できるように固定板(5)に止めピン(10)を取り付け、軸芯(3)の片端を自由固定、もう片方を取りはずし可能な止めピン(10)に固定し、チューブ容器(9)を挟み前方出口方向に押し出すことができる。
【００１４】
本発明は以上のような構成で、これを使用するときは、回転ローラー(1)と固定板(5)の間にチューブ容器(9)を挟んで押し込み残内容物量に合わせチューブ容器(9)の後側を引っ張りしぼり押し出し使用でき、先端突起(6)を押すことによりチューブ容器(9)の残内容物を最後まで効率良く綺麗に出口に押し出すことが出来る構造である。
【図面の簡単な説明】
【００１５】
【図１】本発明の平面図
【図２】本発明の正面図
【図３】本発明の背面図
【図４】本発明の右側面図
【図５】本発明の左側面図
【図６】本発明の底面図
【図７】本発明の断面図
【図８】本発明の横断面図
【図９】本発明の回転ローラー部分拡大横断図
【図１０】本発明の実施例図
【図１１】本発明の他の実施例を示す底面図
【図１２】本発明の他の実施例を示す使用説明図
【図１３】本発明の他の実施例を示す上部側取付断面図
【図１４】本発明の他の実施例を示す下部側取付断面図
【図１５】本発明の他の実施例を示す側面取付断面図
【図１６】本発明の他の実施例を示す開閉取付断面図
【符号の説明】
【００１６】
１    回転ローラー
２    円形パイプ
３    軸芯
４    ローラー押さえワッシャー
５    固定板
６    先端突起
７    軸芯受け孔
８    軸芯スライド溝
９    チューブ容器
１０  止めピン
【図１】
2010126162.tif 000003
【図２】
2010126162.tif 000004
【図３】
2010126162.tif 000005
【図４】
2010126162.tif 000006
【図５】
2010126162.tif 000007
【図６】
2010126162.tif 000008
【図７】
2010126162.tif 000009
【図８】
2010126162.tif 000010
【図９】
2010126162.tif 000011
【図１０】
2010126162.tif 000012
【図１１】
2010126162.tif 000013
【図１２】
2010126162.tif 000014
【図１３】
2010126162.tif 000015
【図１４】
2010126162.tif 000016
【図１５】
2010126162.tif 000017
【図１６】
2010126162.tif 000018